(57)【特許請求の範囲】
【請求項１】
利用可能な複数のデータ変調方式を有するシステムにおいて無線通信に使用する方法にして、
各前記方式がシンボル当たり異なる数のビットをマッピングする前記方法において、
ユーザーに対し新しいデータ搬送速度要件を決定するステップと、
前記ユーザーのデータ搬送速度要件に適合するフレーム内のタイムスロットを割り当てるステップとからなり、ここで、前記割り当てステップが、
現在の変調方式により与えられた、前記ユーザーへ現在割り付けられた各タイムスロットにより搬送されることが出来るデータ搬送速度を決定することにより、前記ユーザーの現在のデータ搬送速度を分析するステップと、
前記ユーザーへ割り当てられたタイムスロットの組み合わせられたデータ搬送速度が、前記ユーザーの新しいデータ搬送速度要件に適合することを保証する必要がある場合、前記ユーザーへ割り当てられたタイムスロット数を変更するステップと、
からなることを特徴とする方法であり、
該方法が、
前記現在の変調方式が、前記フレーム内の前記ユーザーに割り当てられた各タイムスロットについて独立に決定され、前記割り当てステップが、少なくとも第１及び第２のタイムスロットを前記フレーム内の前記ユーザーに割り当て、前記第１及び第２のタイムスロットのそれぞれが各々について決定された変調方式を有しており、前記第１のタイムスロットについて決定され、割り当てられた変調方式が、前記第２のタイムスロットについて決定され、割り当てられた変調方式とは異なることを特徴とする前記方法。
【請求項２】
前記変更ステップが、前記ユーザーへすでに割り当てられたのより、少なくとも一つより多いタイムスロットを前記ユーザーへ割り当てるステップを有することを特徴とする請求項１記載の方法。
【請求項３】
前記変更ステップが、前記ユーザーへすでに割り当てられたのより、少なくとも一つより少ないタイムスロットを前記ユーザーへ割り当てるステップを有することを特徴とする請求項１記載の方法。
【請求項４】
前記変更ステップが、前記ユーザーへ追加的に割り当てられるタイムスロットについて、最初の変調方式及びそれに対応するデータ搬送速度を決定するステップを有することを特徴とする請求項記１記載の方法。
【請求項５】
前記変更ステップにおいて、前記ユーザーは、前記ユーザーへすでに割り当てられたのより少ない、少なくとも一つのタイムスロットが割り当てられ、前記ユーザーへもはや割り当てられていない前記少なくとも１つのタイムスロットが、前記ユーザーについて最低のデータ搬送速度を有することを特徴とする請求項１記載の方法。
【請求項６】
ユーザーの前記新しいデータ搬送速度要件が現在のデータ搬送速度要件と関連していることを特徴とする請求項１記載の方法。
【請求項７】
前記ユーザーが必要なサービス品質をさらに有し、前記割り当てステップがまた前記必要なサービス品質の関数であることを特徴とする請求項１記載の方法。
【請求項８】
前記変調方式が各タイムスロットについて決定されることを特徴とする請求項１に記載の方法。
【請求項９】
どのタイムスロットが前記ユーザーへ割り当てられているのかを、受信側へ知らせるステップをさらに有することを特徴とする請求項１記載の方法。
【請求項１０】
複数のデータ変調方式が無線通信に使用されるシステムにおいて無線通信に使用する方法にして、各前記方式がシンボル当たり異なる数のビットをマッピングする前記方法において、
ユーザーにより使用されるフレーム内の一つ以上のタイムスロットを割り当てるステップと、
前記割り当てられたタイムスロットのそれぞれで送信されるシンボルへユーザーデータビットをマッピングすることに使用する前記複数の変調方式から変調方式を選択するステップと、
からなり、
前記割り当てと選択のステップが、現在のチャネル品質により与えられた前記ユーザーデータ搬送速度を得るために調整され、
前記選択のステップが、前記変調方式が前記フレーム内の前記割り当てられた各タイムスロットを独立に選択されるように実行され、
前記割り当てのステップが、前記フレーム内の前記ユーザーにより使用される少なくとも第１及び第２のタイムスロットを割り当て、及び、
前記選択のステップに対して選択された変調方式を有する前記第１のタイムスロットが 前記第２のタイムスロットに対して前記選択のステップにおいて選択される前記変調方式から異なることを特徴とする方法。
【請求項１１】
前記選択ステップが各タイムスロットについて決定されたチャネル品質の関数であることを特徴とする請求項１０に記載の方法。
【請求項１２】
複数のデータ変調方式が無線通信に使用されるシステムにおいて無線通信に使用する方法にして、各前記方式がシンボル当たり異なる数のビットをマッピングし、タイムスロット当たりをベースにして独立的に割り当てられる前記方法において、
異なるデータ変調方式を割り当てられる前記フレーム内の複数のタイムスロットのうちの少なくとも二つ、チャネル品質と前記ユーザーのデータ搬送速度要件との関数として、ユーザーにより使用されるフレーム内の複数のタイムスロットを割り当てるステップからなることを特徴とする方法。
【請求項１３】
前記チャネル品質が、前記割り当てられたタイムスロットのそれぞれで送られるシンボルへユーザーデータビットをマッピングすることに使用される前記複数の変調方式から、一つの変調方式を選択するためにベースとして使用されることを特徴とする請求項１２に記載の方法。
【請求項１４】
複数の信号点配置へマッピングする方式が無線通信に使用されるシステムにおいて無線通信に使用する方法にして、各前記方式がシンボル当たり異なる数のビットをマッピングする前記方法において、前記方法が、
ユーザーのデータ搬送速度要件を決定するステップと、
前記ユーザーデータ搬送速度要件に適合するフレーム内のタイムスロットを割り当てるステップと、からなり、
ここで、前記割り当てステップが、
現在の信号点配置へマッピングする方式により与えられた、前記ユーザーへ現在割り当てられた前記フレーム内の各タイムスロットに付いてのデータ搬送速度を決定することにより現在のユーザーデータ搬送速度を分析するステップと、
前記ユーザーへ割り当てられた前記フレーム内のタイムスロット数の変更を行った後、その後前記ユーザーへ割り当てられたタイムスロットの組み合わせられたデータ搬送速度要件にさらに接近して適合するように、前記フレーム内の前記ユーザーへ割り当てられたタイムスロット数を変化するステップと、からなり、
前記割り当てステップが、前記ユーザーにより使用される前記フレーム内の少なくとも第１及び第２のタイムスロットを割り当て、現在の信号点配置へマッピングする方式を有する前記第１のタイムスロットが、前記第２のタイムスロットに対する信号点配置へマッピングする方式から異なることを特徴とする方法。
【請求項１５】
前記ユーザーが必要なサービス品質をさらに有し、前記割り当てステップが前記必要なサービス品質の関数でもあることを特徴とする請求項１４に記載の方法。
【請求項１６】
複数のデータ変調方式が無線通信に使用されるシステムにおいて無線通信に使用する装置にして、各前記方式がシンボル当たり異なる数のビットをマッピングする前記装置において、
前記装置が、
新しいユーザーデータ搬送速度要件を決定する手段と、
フレーム内のタイムスロットを前記ユーザーデータ搬送速度要件に適合するように割り当てる手段と、からなり、
前記割り当て手段が、
現在の変調方式により与えられた、前記ユーザーへ現在割り当てられた前記フレーム内の各タイムスロットにより送られるデータ搬送速度を決定することにより、現在のユーザーデータ搬送速度を分析する手段と、
前記フレーム内の前記ユーザーへ割り当てられたタイムスロットの組み合わされたデータ搬送速度が前記新しいユーザーデータ搬送速度に適合することを保証する必要がある場合、前記フレーム内の前記ユーザーへ割り当てられたタイムスロット数を変更する手段と、からなり、
前記現在の変調方式が、前記フレーム内の前記ユーザーに割り当てられた各タイムスロットに対して独立的に決定され、前記割り当て手段が、それぞれ異なる変調方式を割り当てられる各前記ユーザーに前記フレーム内の少なくとも第１及び第２のタイムスロットを割り当てるために適合させることを特徴とする装置。
【請求項１７】
複数のデータ変調方式が無線通信に使用されるシステムにおいて無線通信に使用する装置にして、各前記方式がシンボル当たり異なる数のビットをマッピングする前記装置において、
ユーザーデータ搬送速度要件決定器と、
各ユーザーへ割り当てられた全データ搬送速度がそのユーザーのデータ搬送速度要件にほぼ適合するように、各前記タイムスロットに対し得られる変調方式の関数としてフレーム内のタイムスロットをユーザーへ割り当てるタイムスロット割り当て器と、からなり、
前記タイムスロット割り当て器が、それぞれ異なる変調方式を使用する各前記ユーザーに前記フレーム内の少なくとも第１及び第２のタイムスロットを割り当てるために適合させることを特徴とする装置。
【請求項１８】
複数のデータ変調方式が無線通信に使用されるシステムにおいて無線通信に使用するソフトウェアに記録されたコンピュータ可読記憶媒体にして、各前記方式がシンボル当たり異なる数のビットをマッピングし、前記ソフトウェアがコンピュータ読み取り可能な形であり、プロセッサに機能を遂行させる前記ソフトウェアにおいて、
新しいユーザーデータ搬送速度要件を決定し、
前記現在のタイムスロット割り当てが前記ユーザーデータ搬送速度要件に適合するより、前記ユーザーへ割り当てられたすべてのチャネルの蓄積されたデータ搬送速度を前記ユーザーデータ搬送速度要件により良く適合するように、現在のフレーム内のタイムスロットの割り当てを変更し、前記割り当てが、前記タイムスロットに使用可能である前記変調方式を使用することにより、前記フレーム内の前記ユーザーへ割り当てられる各タイムスロットについて達成可能な最大データ搬送速度の関数であり、
前記フレーム内の前記ユーザーに割り当てられる各タイムスロットに対して現在使用されている前記変調方式が、独立的に決定され、前記変更するステップが、前記変調方式のそれぞれ異なる１つを割り当てられた前記ユーザーの少なくとも第１及び第２のタイムスロットのような前記フレーム内の前記現在割り当てを変更することを特徴とするソフトウェアに記憶されたコンピュータ可読記憶媒体。
【発明の詳細な説明】
【０００１】
【発明の属する分野】
本発明は使用可能なデータ搬送速度を無線通信システムのユーザーに割り当てる技術に関し、特に、固定無線ループ、または、いわゆる“無線ローカルループ”システムのユーザーへ使用可能なデータ搬送速度を割り当てることに関する。
【０００２】
【従来の技術】
一般的従来技術の無線システムは、ユーザーに対し固定されたデータ搬送速度の割り当てを採用している。ユーザーが変調方式、すなわち、ユーザーのビットをシンボルへマッピングする信号点配置を割り当てられると、ユーザーが、例えば、別の一つ以上のタイムスロットをさらに割り当てられなければ、ユーザーのデータ搬送速度は固定される。
【０００３】
【発明が解決しようとする課題】
この様なシステムは、ａ）ユーザーが別のタイムスロットを割り当てられていないか、または、すでに割り当てられたタイムスロットを失っていなければ、常にユーザーに対し固定されたデータ搬送速度を維持し、およびｂ）チャネル品質の改善の利点を得ることが出来ず、チャネル品質の劣化の場合に害を受ける。本発明はこの様な欠点を改善する方法を提供することを目的とする。
【０００４】
【課題を解決するための手段】
使用された変調方式が、タイムスロット当たりをベースに、すなわち、タイムスロットからタイムスロットへ変化し、従って、各タイムスロットのシンボルを符号化するために使用される信号点配置が単一フレーム内の各タイムスロットについて異なり、かつ、異なる連続フレームの特定のタイムスロットについて異なるシステムにおいては、ユーザーのタイムスロットの容量が変化するので、ユーザーがフレーム当たり同一数のタイムスロットを維持しても、ユーザーが使用できるデータ搬送速度は変化する。一つ以上のこの様な変化が変調方式に起きたならば、ユーザーが使用できるデータ搬送速度もはや、ユーザーの現在データ搬送速度に対する要求に整合しない。従って、本発明の原理により、ユーザーの現在データ搬送速度要件の関数としてユーザーに割り当てるタイムスロット数と、現在ユーザーに割り当てるタイムスロットの実際の現在累積データ搬送速度とを決定する方法が開発された。ユーザーデータ搬送速度要件は、ほかに、ユーザーにより縮約されたサービス品質（Ｑｏｓ）の関数でもある。
【０００５】
特に、幾つかの変調方式が使用可能であるが、それらのうちの特定の方式を使用する能力は、現在のチャネル品質により決定される。各変調方式は、タイムスロット内の異なる数のシンボル当たりのビットを送る能力を備えており、本発明の一つの態様により、使用された変調方式は、タイムスロット当たりをベースにして変化する。その結果、ユーザーへすでに割り当てられたタイムスロットの、実際の使用可能なユーザーデータ搬送速度は、敏速に変化している。これを補償するため、フレーム内のタイムスロットの割り当ては動的に行われ、ユーザーにより使用されたタイムスロット数は、ユーザーの現在データ搬送速度要件とこれらの要件に適合するようにユーザーにすでに割り当てられたタイムスロットの能力とにより、増減する。
【０００６】
【発明の実施の形態】
本明細書に使用されているように、チャネル品質が、多重経路などのチャネル特性、本システムまたはほかのシステムの他の無線源さらに宇宙からの発信源などのほかのソースからの干渉、および受信側自身の熱的ノイズなどのノイズから影響を受ける。
【０００７】
図１は、本発明の原理により構成された、代表的操作可能なビームの時分割多元接続（ＴＤＭＡ）無線通信システム１００を示す。無線通信システム１００は、遠隔端末１０３ー１〜１０３ーＮ（集約して１０３）にサービスする基地局アンテナ１０１、および、遠隔端末１０７ー１〜１０７ーＮ（集約して１０７）にサービスする基地局アンテナ１０５を有する。遠隔端末と特有の基地局との組み合わせは、遠隔端末ー基地局の組み合わせについて達成される最良信号出力と最小干渉に基づいて、システムの実行者により決定される。
【０００８】
操作可能なビームの無線通信システム１００において、遠隔端末ロケーションに形成されるビームパターンは、幅がすべて任意である。ビームの個々の幅は、アンテナ設計上の方向性の関数であり、しばしば、それは幅の広いビームである。一般に、同じビームパターンが、送信と受信の両方に使用される。例えば、３０度の角度を有する遠隔端末ロケーションのアンテナは、すべてのほかの角度が使用することが出来るが、本発明の一つの実施態様に使用されてきた。
【０００９】
基地局は実質的に任意の幅のビームパターンを制御可能に形成する能力を有しており、これにより、その状況に従って、広いビームまたは狭いビームで送受信することが出来る。最初に、例えば、呼び出し中に、基地局と遠隔端末との間の通信は、基地局に広いビームを使用させることにより行われる。しかし、通信チャネル、すなわち、いわゆる“トラフィック”チャネルが、基地局と遠隔端末との間に設定されると、基地局は一般に狭いビームを使用する。狭いビームを使用する場合、基地局は、通信が基地局と遠隔端末との間に行われるとき、ビームを遠隔端末の方向へ指向する。
【００１０】
通信は基地局と遠隔端末との間で同時に双方向性である。例えば、一つの周波数が基地局から遠隔端末への送信に使用され、もう一つの周波数が遠隔端末から基地局への送信に使用される。
【００１１】
図１の操作可能なビーム無線通信システム１００は、時分割多元接続（ＴＤＭＡ）システムである。このシステムは反復フレーム構造体を採用しており、各フレーム内に、タイムスロットがある。図２は、操作可能なビームの無線通信システム１００に使用される代表的フレーム構造体２０１を示す。フレーム構造体２０１は、長さが２．５ｍｓで、その中に６４個のタイムスロット２０３を内蔵しており、タイムスロット２０３ー１〜２０３ー６４を有する。タイムスロット２０３のそれぞれは、データ部分（ＤＰ）２０５と保護部分（Ｇ）２０７を有する。例えば、タイムスロット２０３のそれぞれは２．５／６４ｍｓであり、これは３９．０６２５μｓである。各保護間隔２０７は２μｓで、各データ部分２０５を３７．０６２５μｓであるように残している。同じフレーム構造体は、アップリンク、すなわち、遠隔端末から基地局へ、ダウンリンク、すなわち、基地局から遠隔端末への両方に使用される。
【００１２】
さらに詳細には、各タイムスロット２０３は、実行者によりバンド幅とタイムスロット期間とに基づいて決定される。例えば、上述のように、保護間隔２μｓを有する３９．０６２５μｓ期間は、３７．０６２５μｓのデータ部分を残している。チャネルバンド幅が５ＭＨｚで、有用なバンド幅が３．９９３６であるならば、１４８個のシンボルがあり、各長さは約２５０．０４ｎｓである。
【００１３】
シンボル当たりのビット数、すなわち、配列の大きさは、各タイムスロットに送られるビット数を決定する。本発明の面より、ユーザーのデータストリーム内タイムスロットに配置されるデータの位置に関係なく、すなわち、ユーザーデータを、タイムスロットの大きさの単位で送る無線リンクパケットに分割する分割アルゴリズムの状態に関係なく、シンボル当たりのビット数は、タイムスロット当たりをベースにして変えることができる。例えば、本発明の一つの実施態様において、５種類の変調方式が採用されている。すなわち、ａ）直交位相シフトキーイング（ＯＰＳＫ）、ｂ）８位相シフトキーイング（８−ＰＳＫ）、ｃ）１６直交振幅変調（１６−ＱＡＭ）、ｄ）３２直交振幅変調（３２−ＱＡＭ）、および、ｅ）６４直交振幅変調（６４−ＱＡＭ）である。１４８個のシンボルを有するタイムスロットに関しては、これらの変数方式により、ａ）２９６、ｂ）４４４、ｃ）５９２、ｄ）７４０、およびｅ）８８８個の生ビットをそれぞれその中に送ることが出来る。タイムスロット内のユーザーに使用できる実際のビットは、トレーニングシーケンス、ヘッダー、エラー検出、及びまたは修正コードなどの生ビットを使用することにより、生ビットの数より少ないことがしばしばある。
【００１４】
本発明の原理により、ａ）シンボル当たりのビット数、すなわち、送信のためユーザーデータのマッピングに使用される信号点配置の大きさ、および、ｂ）フレーム当たりユーザーに割り当てられたタイムスロット数は、チャネル品質と指定されたサービス品質（ＱｏＳ）でのデータ搬送速度のユーザー要件との関数としてされる。本発明の一つの態様によれば、使用された変調方式は、タイムスロット当たりをベースに変化する。フレーム内のタイムスロットを多様なユーザーへ割り当てることは、動的に行われる。有利なことに、タイムスロット当たりで使用された変調方式とユーザーにより使用されたタイムスロット数を変化することにより、ユーザーのデータ搬送速度は敏速に変化する。すなわち、搬送速度はユーザーの要件に従って増減する。
【００１５】
ここに引用された“ユーザー”は、システムの実行者に依存している、個々の人、特定の端末、または、特定のアプリケーションまたはその例示化が反映されたものであることである。当業者は、“ユーザー”のこれらの意味のすべて、およびこの様な意味のすべての組み合わせに関してさえも収めているいるシステムをこの説明から設計することが、容易にできるであろう。
【００１６】
図３は代表的初期化プロセスを示しており、このプロセスは、ユーザーが活動状態になり、ユーザーのトラフィックサービスを要求する時か、または、ユーザーが入信トラフィック、例えば、入信呼び出しを受信する必要がある時に、行われる。ユーザーがサービスを受ける状態が発生すると、このプロセスはステップ３０１へ入る。この様な状態は、ユーザーが音声電話呼び出しを始めることを決定する、ユーザーがデータ通信ベースのアプリケーションを開く、ユーザーがすでに開かれたデータ通信アプリケーションの新しい例示を開く、ユーザーが入信する音声呼び出しを受信する、ユーザーが入信するデータ通信を受信する、などの状態である。
【００１７】
次ぎに、ステップ３０３において、最初のタイムスロット数がユーザーによる使用のために割り当てられる。最初に割り当てられたタイムスロット数は、規定された省略時数であり、ユーザーによる履歴使用により与えられた、予期された最初のデータ搬送速度の関数であり、または、要求されたサービスのタイプに基づいたデータ搬送波速度であるなどである。また、ステップ３０３において、最初の変調方式が、ユーザーの使用のために割り当てられた各タイムスロットについて割り当てられる。最初の変調方式は省略時方式、例えば、最低の最も慎重な変調方式であるか、または、普通ユーザーに都合良い変調方式に関し履歴情報に基づいている。最後に、ステップ３０３において、任意で最初のサービス品質（ＱｏＳ）がユーザーに割り当てられる。割り当てられたＱｏＳは省略時ＱｏＳであるか、または、要求されたサービスのタイプに基づいているか、などである。
【００１８】
次ぎに、ステップ３０５において、ユーザーは活動ユーザーのリストに入り、従って、他のプロセスによりサービスが提供される。
【００１９】
図４は、本発明の原理により、タイムスロット数と、要求されたデータ搬送速度とＱｏＳにより与えられたこれらのタイムスロットに対する変調方式を割り当てる代表的プロセスを示す。このプロセスは周期的にステップ４０１より入る。この周期は、チャネルの結合時間の関数、すなわち、チャネル特性が変わる速度であり、これは従来の方法を使用して実行者により容易に決定される。例えば、固定された無線システムにおいて、プロセスは約１０分の１秒で実行される。
【００２０】
次ぎに、ステップ４０３において、活動リストの次のユーザーが識別される。
その後、ステップ４０５において、そのユーザーにより現在使用されている現在のタイムスロット数、およびそのユーザーのＱｏＳが検索される。ステップ４０７において、変調方式がユーザーにより使用された各タイムスロットについて選択される。すべてのチャネルに付いて使用される変調方式はチャネル品質の関数であり、これは時間を切り換えるので、使用できる変調方式を決定するために、チャネル品質をモニターすることが必要である。一般に、選択された変調方式は、達成できる最高のビット／シンボル比の方式であり、これは現在のチャネル特性により与えられたＱｏＳ要件を満足する。しかし、この規定の一つの大きい例外は、ユーザーのサービスが、音声通信などの一定のビット速度のサービスの場合である。この場合、選択された変調方式は、エラー率を最小にし、サービスのビット速度要件を満足する変調方式である。
【００２１】
条件付き分岐点４０９は、ユーザーに割り当たられた現在のタイムスロット数により与えられた使用可能であるビット速度と、これらタイムスロットのそれぞれの変調方式を評価し、別のデータ搬送速度がユーザー要求のビット速度に適合するために必要であるか、どうかを決定するためにテストする。ステップ４０９のテスト結果がイエスであるならば、制御はステップ４１１へ進み、そこで、他のタイムスロットが得られ、ユーザーに割り当てられる。また、ステップ４１１において、最初の変調方式が、ユーザーへちょうど与えられたタイムスロットへ割り当てられる。ステップ４１における最小の変調方式の選択は、ステップ３０３における最初の変調方式の選択と同様に行われる（図３）。
【００２２】
ステップ４０９におけるテスト結果がノーであるならば、制御は条件付き分岐点４１３へ進み、分岐点４１３は、ユーザーへ割り当てられたタイムスロット数とそれぞれの変調方式とにより与えられた、現在使用可能なデータ搬送速度より小さいデータ搬送速度がユーザーにより必要とされているか、どうかを決定するためにテストする。ステップ４１３におけるテスト結果がイエスであるならば、制御はステップ４１５へ進み、そこで、ユーザーのタイムスロットの一つが放棄される。本発明の一つの実施態様において、最悪の変調方式、すなわち、そのデータを搬送するタイムスロットからユーザーへ最小のデータ搬送速度を持つことが出来るタイムスロットは、放棄されたタイムスロットである。
【００２３】
ステップ４１３におけるテスト結果がノーであるならば、ユーザーの必要なデータ搬送速度とユーザーにとって現在使用可能であるデータ搬送速度とが、ほぼ釣り合っていることを示し、あるいは、ステップ４１１または４１５が完了した後、制御は条件付き分岐点４１７へ進み、そこでは、現在のユーザーが活動ユーザーリストの最後のユーザーであるか、どうかを決定するためテストする。ステップ４１７におけるテスト結果がノーであるならば、処理される予定のままの別のユーザーがあることを示し、制御はステップ４０３へ戻り、次の活動状態のユーザーを処理し、制御はステップ４１９へ進み、プロセスは出る。
【００２４】
整合している受信側は、どのタイムスロットが普通にユーザーへ割り当てられているかについて知らされる。
【００２５】
図４のプロセスの各実行ごとに追加されるか、または、放棄されるタイムスロット数を限定する理由はない。その代わり、当業者には容易にわかるように、目標のデータ搬送速度が満足されるまで、一つ以上のタイムスロットが追加されるか、放棄される。
【００２６】
より多くの、より少ない、または同一のデータ搬送速度がユーザーにより必要とされるか、どうかの推定は、ユーザーの入力と出力のバッファをモニターすることにより行われる。
【００２７】
本発明の一つの実施態様において、ユーザーが特定のサービス品質（ＱｏＳ）を縮約することが出来る。サービス品質を決定するものとして具体的に示される代表的要因は、ａ）エラー率、ｂ）最大などの待ち時間、またはその分散、および、ｃ）データ搬送速度、例えば、最小必要データ搬送速度または最大許容データ搬送速度である。縮約された特定のＱｏＳは、ユーザーに割り当てられたタイムスロット数を増加するか、減少するかを決定するためにステップ４０９と４１３において考察される。
【００２８】
用語“フレーム構造”の内には、時にはスーパーフレームと呼ばれる考え、すなわち、フレームが既知の周期的に繰り返すタイムスロットにより結合されるように形成されると言う考えが、他の小さいフレームがその中に含まれているが、含まれている。
【００２９】
本発明の一つの態様により、基地局は分割アンテナを使用しており、分割部分につき多重ビームを使用することが出来る。多重無線ビームが使用されるならば、各無線ビームはそれ自身の独立したフレームを送信することが出来る。本発明の一つの態様によれば、単一時間フレーム期間内にユーザーに使用されるタイムスロットは、同じ無線ビームによりすべて送られる必要はない。言い換えると、この様なタイムスロットは、異なる多様なビームにより送られる異なる内に現れる。遠隔ステーションは、すべての一つのタイムスロットの持続時間の間に単一ビームで受信するだけであるが、遠隔ステーションは、異なるビームから、単一フレーム時間中に異なるタイムスロットでデータを受信することが出来る。唯一の要件は、衝突の発生及びデータの破損を防止するため、タイムスロットが時間中に重なり合ってはならないことである。従って、ユーザーが必要とするデータ搬送速度を得るために、ビームのそれぞれによる送信についてタイムスロットの割り当てを調整することが必要である。
【図面の簡単な説明】
【図１】本発明の原理により構成された代表的操作可能なビームＴＤＭＡ無線通信システムの図。
【図２】図１に示された操作可能な無線通信システムに使用される代表的フレーム構造の図。
【図３】ユーザーが活動状態になり、ユーザートラフィックサービスを要求するとき、または、ユーザーが入信トラフィック、例えば、入信呼び出しを必要とするとき、行われる代表的初期化プロセスの流れ図。
【図４】本発明の原理により、タイムスロット数と、必要とされるデータ搬送速度とＱｏＳにより与えられたタイムスロットの変調方式を割り当てる代表的プロセスの流れ図。
【符号の説明】
１００            無線通信システム
１０１            基地局アンテナ
１０３−１〜Ｎ    遠隔端末
１０５            基地局アンテナ
１０７−１〜Ｎ    遠隔端末
２０１            フレーム構造
２０３−１〜６４  タイムスロット
２０５            タイムスロットのデータ部分（ＤＰ）
２０７            保護間隔部分（Ｇ）
【図１】
0004629196.tif 000002
【図２】
0004629196.tif 000003
【図３】
0004629196.tif 000004
【図４】
0004629196.tif 000005